(57)【要約】【課題】筐体に設けられたスロットを遮蔽するマスクの受ける外力の影響を低減する。【解決手段】情報処理装置１００が備える、筐体１０１の背面パネルに形成されたスロット１３Ａ,１３Ｂそれぞれを、筐体の内側から１対のミクロジョイント１４ａを介してスロット１３Ａ,１３Ｂに接続されたマスク１４Ａ,１４Ｂにより遮蔽する。これにより、筐体１０１からマスク１４Ａ,１４Ｂの突出を無くすことができ、マスク１４Ａ,１４Ｂに加わる外力を低減することが可能となる。【選択図】図３
2007334624.tif 000002
【特許請求の範囲】
【請求項１】
電気部品を収容する筐体であって、
前記電気部品を収容する筐体本体と；
前記筐体本体に形成された開口部と；
前記開口部にミクロジョイントを介して接続され、前記筐体本体の内側から前記開口部を遮蔽するマスク部材と；を備える筐体。
【請求項２】
前記マスク部材は、一側と他側が１対の前記ミクロジョイントを介して前記開口部に接続されていることを特徴とする請求項１に記載の筐体。
【請求項３】
前記マスク部材は、１対の前記ミクロジョイントで規定される、前記マスク部材の回転軸上に、開口が形成されていることを特徴とする請求項２に記載の筐体。
【請求項４】
１対の前記ミクロジョイントで規定される、前記マスク部材の回転軸は、前記マスク部材の中心からオフセットしていることを特徴とする請求項２又は３に記載の筐体。
【請求項５】
前記マスク部材は、前記回転軸に直交する方向の幅が、前記開口部の幅よりも小さいことを特徴とする請求項２〜４のいずれか一項に記載の筐体。
【請求項６】
請求項１〜５に記載の筐体と、
前記筐体に収容される中央処理装置と；を備える情報処理装置。
【請求項７】
前記筐体本体に形成された開口部は、前記中央処理装置の機能を拡張するための電気部品を装着する、拡張用スロットであることを特徴とする請求項６に記載の情報処理装置。
【発明の詳細な説明】
【技術分野】
【０００１】
本発明は、筐体及び情報処理装置に係り、更に詳しくは、電気部品を収容する筐体、及び該筐体を備える情報処理装置に関する。
【背景技術】
【０００２】
近年、製品の低価格や情報網の発達により、パーソナルコンピュータ（パソコン）や、計測機器などの情報処理装置が急速に普及し、その用途も複雑多岐にわたるようになっている。そこで最近では、情報処理装置に汎用機能のみを装備し、装置の使用目的やユーザの希望に応じて、例えばＬＡＮ（Local Area Network）カード、ＰＣＩ（Peripheral Component Interconnect）カード、及びＳＣＳＩ（Small Computer System Interface）カード等の拡張部品を事後的に装備して、装置の利便性を高めるとともに、低価格化を実現している。
【０００３】
上述した情報処理装置の生産工程では、まず汎用機能のみを装備した情報処理装置が生産され、事後的に情報処理装置のカバーや筐体の一部に開口を形成し、この開口を介して拡張部品が装着される。このため、情報処理装置に用いられるカバーや筐体には、例えばプレス加工等により、拡張部品を装着するスロットと、このスロットにミクロジョイントを介して接続されたマスクとを、予め設けておくのが一般的である。このミクロジョイントで接続されたマスクは、拡張部品を装着する際には、取り外しの容易性が要求され、情報処理装置の製造過程や搬送過程では、マスクに作用する外力に対する十分な耐性が要求されている。
【発明の開示】
【発明が解決しようとする課題】
【０００４】
本発明は、かかる事情の下になされたもので、第１の目的は、生産性の向上を図ることが可能な筐体を提供することにある。
【０００５】
また、本発明の第２の目的は、生産性の向上を図ることが可能な情報処理装置を提供することにある。
【課題を解決するための手段】
【０００６】
本発明は、第１の観点からすると、電気部品を収容する筐体であって、前記電気部品を収容する筐体本体と；前記筐体本体に形成された開口部と；前記開口部にミクロジョイントを介して接続され、前記筐体本体の内側から前記開口部を遮蔽するマスク部材と；を備える筐体である。
【０００７】
これによれば、筐体に形成された開口部は、筐体の内側からミクロジョイントを介して接続された、マスクにより遮蔽されている。これにより、筐体外部へのマスクの突出を無くすことができ、マスクの受ける外力の影響を低減することが可能となる。また、筐体の開口が形成された面に、シール等の保護部材の取り付けが容易となる。これにより製造過程での筐体の損傷を回避して歩留まりを向上させることが可能となり、結果的に製品の生産性の向上を図ることが可能となる。
【０００８】
また、本発明は第２の観点からすると、本発明の筐体と、前記筐体に収容される中央処理装置と；を備える情報処理装置である。
【０００９】
これによれば、情報処理装置は、本発明の筐体を備えている。したがって、製品の生産性の向上を図ることが可能となる。
【発明を実施するための最良の形態】
【００１０】
以下、本発明の一実施形態を図１〜図３に基づいて説明する。図１は本実施形態に係る情報処理装置１００の斜視図である。情報処理装置１００は、一例として、自動販売機や券売機等に内蔵される情報処理装置である。図１に示されるように、この情報処理装置１００は、例えば金属板を板金加工することにより形成された、断面Ｕ字状の１対のカバー１０,１１、及び１対のカバー１０,１１それぞれの−Ｘ側に固定された長手方向をＹ軸方向とする背面パネル１２を有する筐体１０１と、筐体１０１の内部に収容される中央演算処理装置が実装された基板などの電気部品（不図示）を備えている。
【００１１】
前記背面パネル１２は、長手方向をＹ軸方向とする、例えば同形状の２つのスロット１３Ａ,１３Ｂと、該スロット１３Ａ,１３Ｂをそれぞれ遮蔽するマスク１４Ａ,１４Ｂを有している。以下、代表的にスロット１３Ａ及びマスク１４Ａを取り上げて説明する。
【００１２】
図２は、スロット１３Ａ及びその近傍を拡大して示す平面図である。また、図３は、スロット１３Ａ近傍のカバー１０、及び背面パネル１２の断面を示す図である。マスク１４Ａは、図２に示されるように、中央部に長手方向をＹ軸方向とする開口１４ｃが設けられ、＋Ｚ側及び−Ｚ側の端部中央が、スロット１３Ａの上部及び下部に、例えば幅（Ｙ軸方向の距離）が２ｍｍ程度の１対のミクロジョイント１４ａを介してそれぞれ接続されている。
【００１３】
この、スロット１３Ａ及びマスク１４Ａは、プレス加工等により一体的に成形され、例えば背面パネル１２の素材となる金属板を、−Ｘ側から＋Ｘ側に、１対のミクロジョイント１４ａに相当する箇所を除く、マスク１４Ａに相当する矩形上の部分を打ち抜き加工することにより形成されている。これにより、図３に示されるように、スロット１３Ａは、マスク１４Ａにより、筐体１０１の内側から遮蔽された状態となっている。なお、図２及び図３では、説明の便宜上スロット１３Ａ及びマスク１４Ａが所定のクリアランスを介して配置されているように示されているが、上述したようにスロット１３Ａ及びマスク１４Ａは、プレス加工により形成されるため、実際には相互にクリアランスがない同形状となっている。
【００１４】
以上説明したように、本実施形態に係る情報処理装置１００では、筐体１０１の背面パネルに形成されたスロット１３Ａ,１３Ｂそれぞれは、筐体の内側から１対のミクロジョイント１４ａを介してスロット１３Ａ,１３Ｂに接続されたマスク１４Ａ,１４Ｂにより遮蔽されている。したがって、筐体１０１からマスク１４Ａ,１４Ｂの突出が無くなり、マスク１４Ａ,１４Ｂに加わる外力を低減することが可能となる。また、マスク１４Ａ,１４Ｂが、背面パネル１２の内側（＋Ｘ側）に配置されているため、背面パネル１２の外側（−Ｘ側）の面に、例えば保護シートや、保護パネルなどの保護部材を貼り付ける場合にも、マスク１４Ａ,１４Ｂと保護部材とが干渉することがなくなる。これにより、情報処理装置１００の製造過程で、筐体１０１の損傷を回避して歩留まりを向上させることが可能となり、結果的に情報処理装置１００の生産性の向上を図ることが可能となる。
【００１５】
また、マスク１４Ａ,１４Ｂを、スロット１３Ａ,１３Ｂから取外す場合には、例えば図４に示されるマスク１４Ａのように、１対のミクロジョイント１４ａ（図４には不図示、図３参照）を通る直線を回転軸として、マスク１４Ａを回転させることにより、マスク１４Ａの長手方向の一端を筐体１０１の外部へ引き出すことが可能であるため、マスク１４Ａ,１４Ｂを筐体１０１の内部に残すことなく取外すことが可能となる。したがって、情報処理装置１００の使用目的に応じて、拡張機能を付加する場合などには、容易に筐体１００からマスク１４Ａ,１４Ｂを撤去することができ、生産性の向上を図ることが可能となっている。また、その際には、マスク１４Ａに設けられた、開口１４ｃに、例えばマイナスドライバや、金属板などを挿入して、マスク１４Ａ,１４Ｂをスロット１３Ａ,１３Ｂに対し、それぞれ回転することで作業性の向上を図ることが可能となる。
【００１６】
なお、上記実施形態では、スロット１３Ａ,１３Ｂと、マスク１４Ａ,１４Ｂとがそれぞれ同形状で、スロット１３Ａ,１３Ｂとマスク１４Ａ,１４Ｂとの間のクリアランスがほぼ零の、相互に同形状である場合について説明したが、例えば、スロット１３Ａ,１３Ｂと、マスク１４Ａ,１４Ｂとの間にクリアランスを形成してもよい。
【００１７】
また、上記実施形態では、マスク１４Ａ,１４Ｂの＋Ｚ側及び−Ｚ側の端部中央が、１対のミクロジョイント１４ａを介して、それぞれスロット１３Ａ,１３Ｂに接続されている場合について説明したが、例えば図５（Ａ）に示されるように、ミクロジョイント１４ａを、マスク１４Ａ,１４Ｂの中央から＋Ｙ側に移動して形成し、マスク１４Ａの回転軸を＋Ｙ側あるいは、−Ｙ側へオフセットさせてもよい。このようにすれば、例えば図５（Ａ）におけるマスク１４Ａの−Ｙ側を、指等で押すことで、マスク１４Ａを容易に回転することが可能となる。この場合には、マスク１４Ａ,１４Ｂの開口１４ｃを、マスク１４Ａ,１４Ｂの回転軸上に形成することで、良好な作業性を維持することができる。また、マスク１４Ａ,１４Ｂの長手方向両端部近傍、例えば図５（Ｂ）に示されるように、マスク１４Ａの＋Ｙ側端部とスロット１３Ａとの間に、クリアランスを形成してもよい。このようにすれば、マスク１４Ａを回転させたときに、マスク１４Ａの長手方向端部のうち、筐体１０１の外側に突出する方の端部が、スロット１３Ａと干渉するのを回避することができる。
【００１８】
また、クリアランスは、マスク１４Ａ,１４Ｂの長手方向両端部近傍だけでなく、長手方向と直行する方向の両端部と、スロット１３Ａ,１３Ｂとの間に形成してもよい。これにより、マスク１４Ａ,１４Ｂを回転させた際に、マスク１４Ａ,１４Ｂとスロット１３Ａ,１３Ｂとが干渉することがなくなり、作業性の向上を図ることが可能となる。
【００１９】
また、上記実施形態では、マスク１４Ａ,１４Ｂに矩形状の開口１４ｃが設けられている場合について説明したが、これに限らず、開口の形状は円形状や楕円形状でもよい。要は、マスク１４Ａ,１４Ｂを回転するために工具を挿入することができればよい。
【００２０】
また、上記実施形態では、スロット１３Ａ,１３Ｂと、マスク１４Ａ,１４Ｂとがプレス加工により一体的に形成されている場合について説明したが、これに限らず、スロットとマスクとを個別に製作し、相互にポイント溶接等により接続することも可能である。また、ミクロジョイントの周りには、マスクを取外したときのバリを逃がすための、バリ逃げを設けてもよい。
【００２１】
また、上記実施形態では、スロット１３Ａ,１３Ｂ、及びマスク１４Ａ,１４Ｂそれぞれが、一例として、自動販売機や券売機等に内蔵される情報処理装置１００の筐体１０１に形成されている場合について説明したが、これに限らず、本発明は、例えばパーソナルコンピュータ、計測機器、及び制御装置や、これらの筐体について好適である。
【産業上の利用可能性】
【００２２】
以上説明したように、本発明の筐体は電気部品を収容するのに適しており、本発明の情報処理装置は、情報の処理に適している。
【図面の簡単な説明】
【００２３】
【図１】本発明の一実施形態に係る情報処理装置１００を示す斜視図である。
【図２】スロット１３Ａ及びその近傍を拡大して示す平面図である。
【図３】スロット１３Ａ近傍のカバー１０、及び背面パネル１２の断面を示す図である。
【図４】マスク１４Ａの取外し方法を説明するための図である。
【図５】図５（Ａ）及び図５（Ｂ）マスク１４Ａの変形例を示す図（その１、その２）である。
【符号の説明】
【００２４】
１０…カバー、１１…カバー、１２…背面パネル、１３Ａ,１３Ｂ…スロット、１４Ａ,１４Ｂ…マスク、１４ａ…ミクロジョイント、１４ｃ…開口、１００…情報処理装置、１０１…筐体。
【図１】
2007334624.tif 000003
【図２】
2007334624.tif 000004
【図３】
2007334624.tif 000005
【図４】
2007334624.tif 000006
【図５】
2007334624.tif 000007